(57)【要約】【課題】小物を収納空間の上側に確実に収納することによって、所望の小物を迅速に取り出すことができるだけでなく、収納空間の下側で複数の小物が重なり合うことを回避することができる釣り用上着のポケット構造を提供する。【解決手段】上着本体の前身頃１にポケット５を備え、ポケット５の開口を、上方からの収納物の出し入れを可能にする第１開口部１０Ａと、この第１開口部１０Ａから下方に連続して形成され、収納物を水平方向又は斜め方向からの収納を可能とする第２開口部１０Ｂとから構成し、ポケット５の開口を閉じるための開閉自在な開閉手段１２を備え、開口を構成する２つの開口部１０Ａ，１０Ｂのうちの一方の開口部１０Ａを通して挿入される収納物を差し込んで保持するための伸縮自在な保持部１３を備えさせた。【選択図】図１
2008118954.tif 000002
【特許請求の範囲】
【請求項１】
上着本体の前身頃の左右両側のうちの少なくとも一方側の上側部分又は下側部分あるいはそれら上下両側部分にポケットを備え、前記ポケットの開口を、上方からの収納物の出し入れを可能にする第１開口部と、この第１開口部から下方に連続して形成され、収納物を水平方向又は斜め方向からの収納を可能とする第２開口部とから構成し、前記ポケットの開口を閉じるための開閉自在な開閉手段を備え、前記開口を構成する２つの開口部のうちの一方の開口部を通して挿入される収納物を差し込んで保持するための伸縮自在な保持部を、前記ポケットを構成する裏地の表面の上側部分に該ポケットの収納空間内に突出する状態で備えさせ、前記保持部に収納物を差し込んだ場合には該保持部が伸びることで前記ポケットの裏地から表地側へ突出し、かつ、該保持部に収納物を差し込まない状態で該ポケット内に該収納物を収納した場合には該保持部が該ポケットの裏地に押し付けられることを特徴とする釣り用上着のポケット構造。
【請求項２】
前記ポケットを構成する裏地をメッシュ状の生地から構成し、前記保持部を、収納物を保持するメッシュ状の保持本体と、該保持本体の収納物挿入方向始端部を挟み込んで該収納物の挿入口を構成する補強用の挿入部とから構成してなる請求項１記載の釣り用上着のポケット構造。
【請求項３】
前記挿入部が前記ポケットを構成するフラットな裏地に対して表地側へ湾曲した状態となるように該挿入部の収納物挿入幅方向両端を該裏地に取り付けていることを特徴とする請求項２記載の釣り用上着のポケット構造。
【請求項４】
前記開閉手段を、前記ポケットの開口に備えさせたファスナーから構成し、前記保持部の挿入部を、前記裏地の前記ファスナー取付位置から設定距離隔てた箇所に位置させたことを特徴とする請求項２又は３記載の釣り用上着のポケット構造。
【請求項５】
上着本体の前身頃の上側部分に備えさせたポケットの開口が、該前身頃の左右方向両端側から中心部に向かうほど下方に位置する傾斜開口となる前記第１開口部と、この第１開口部の下端から下方に向かう縦向き開口となる前記第２開口部とからなり、前記保持部が前記第１開口部を通して挿入される収納物を差し込んで保持するように配置され、該保持部が下端側ほど前記前身頃の左右方向中心部から離間する外側に位置する傾斜姿勢となるポケット部からなっている請求項１〜４のうちのいずれかに記載の釣り用上着のポケット構造。
【請求項６】
上着本体の前身頃の下側部分に備えさせたポケットの開口が、該前身頃の左右方向に伸びる水平開口となる前記第１開口部と、この第１開口部における該前身頃の左右方向中心部側端から下方に向かう縦向き開口となる前記第２開口部とからなり、前記保持部が前記第２開口部を通して挿入される収納物を差し込んで保持するように左右方向に長い姿勢で配置されている請求項１〜４のうちのいずれかに記載の釣り用上着のポケット構造。
【請求項７】
前記保持部をそれの挿入方向終端が開口された部材から構成し、該保持部の挿入方向終端をこれの延長線上に位置するポケットの左右方向の一端よりも手前側に配置してなる請求項６記載の釣り用上着のポケット構造。
【請求項８】
前記保持部の挿入方向始端側の収納物挿入口を挿入方向始端側ほど下方に位置する傾斜口に構成したことを特徴とする請求項６又は７記載の釣り用上着のポケット構造。
【発明の詳細な説明】
【技術分野】
【０００１】
本発明は、ポケットに針を収納した針ケースや仕掛けケース、あるいはガン玉を収納したガン玉ケース等の小物を上側に位置決めした状態で収納することによって、下側の収納部を他の収納物に利用することができる釣り用上着のポケット構造に関する。
【背景技術】
【０００２】
釣り用上着に備えさせているポケットは、例えば前身頃の左右両側に大きさの異なる上下一対のポケットをそれぞれ備えさせたものが既に提案されている。これらのポケットは、開口部に備えられたファスナーを開放操作してから、ポケット内部の収納空間内に針ケースやガン玉ケース等の小物を入れた後、ファスナーを閉じるようにしている（例えば、特許文献１参照）。
【特許文献１】特開２００４−２２９５５４号公報（図１参照）
【発明の開示】
【発明が解決しようとする課題】
【０００３】
前記特許文献１のポケットでは、針ケースや仕掛けケース、あるいはガン玉ケース等の小物を複数収納できるように上下寸法等を考慮して比較的大きな収納空間を備えさせていることから、例えば小物の中でも小さな小物の１つをポケットの収納空間の上側に収納しても、自重によりポケットの下側（底部）に移動してしまい、ポケットから取り出し難い不都合や、又２つの小物をポケット内に上下方向で振り分けて収納している場合でも、上側に位置している小物が自重でポケットの底部まで落下してしまい、２つの小物がその底部で重なった状態になってしまうため、ポケットが前方側へ必要以上に突出してしまい、違和感がある（着心地がよくない）だけでなく、重なっている状態の小物の中から取り出したい所望の小物を迅速に取り出すことができないこともあった。
【０００４】
本発明が前述の状況に鑑み、解決しようとするところは、小物を収納空間の上側に確実に収納することによって、所望の小物を迅速に取り出すことができるだけでなく、収納空間の下側で複数の小物が重なり合うことを回避することができる釣り用上着のポケット構造を提供することを課題とする。
【課題を解決するための手段】
【０００５】
本発明の釣り用上着のポケット構造は、上着本体の前身頃の左右両側のうちの少なくとも一方側の上側部分又は下側部分あるいはそれら上下両側部分にポケットを備え、前記ポケットの開口を、上方からの収納物の出し入れを可能にする第１開口部と、この第１開口部から下方に連続して形成され、収納物を水平方向又は斜め方向からの収納を可能とする第２開口部とから構成し、前記ポケットの開口を閉じるための開閉自在な開閉手段を備え、前記開口を構成する２つの開口部のうちの一方の開口部を通して挿入される収納物を差し込んで保持するための伸縮自在な保持部を、前記ポケットを構成する裏地の表面の上側部分に該ポケットの収納空間内に突出する状態で備えさせ、前記保持部に収納物を差し込んだ場合には該保持部が伸びることで前記ポケットの裏地から表地側へ突出し、かつ、該保持部に収納物を差し込まない状態で該ポケット内に該収納物を収納した場合には該保持部が該ポケットの裏地に押し付けられることを特徴としている。
上記のように構成することによって、開閉手段を開放操作して開放状態となった一方の開口部を通して挿入される収納物（小物等）を保持部にて保持することで、ポケットを構成する裏地の表面の上側部分に収納物を確実に位置保持させることができる。前記保持部が伸縮自在であるから、保持部に収納物を差し込んだ場合には保持部が伸びることでポケットの裏地から表地側へ突出し、保持部に収納物を差し込まない状態でポケット内に収納物（特に保持部にて保持できない大きさの収納物）を収納した場合には保持部がポケットの裏地に押し付けられることで、ポケット内の収納空間を最大限無駄なく利用することができる。又、第１開口部から下方に連続して形成された第２開口部を備えさせることによって、ポケット内に収納された収納物を上方だけでなく水平方向又は斜め方向から容易迅速に取り出すことができる。
【０００６】
前記ポケットを構成する裏地をメッシュ状の生地から構成し、前記保持部を、収納物を保持するメッシュ状の保持本体と、該保持本体の収納物挿入方向始端部を挟み込んで該収納物の挿入口を構成する補強用の挿入部とから構成してもよい。
【０００７】
前記挿入部が前記ポケットを構成するフラットな裏地に対して表地側へ湾曲した状態となるように該挿入部の収納物挿入幅方向両端を該裏地に取り付けてもよい。
【０００８】
前記開閉手段を、前記ポケットの開口に備えさせたファスナーから構成し、前記保持部の挿入部を、前記裏地の前記ファスナー取付位置から設定距離隔てた箇所に位置させてもよい。
【０００９】
上着本体の前身頃の上側部分に備えさせたポケットの開口が、該前身頃の左右方向両端側から中心部に向かうほど下方に位置する傾斜開口となる前記第１開口部と、この第１開口部の下端から下方に向かう縦向き開口となる前記第２開口部とからなり、前記保持部が前記第１開口部を通して挿入される収納物を差し込んで保持するように配置され、該保持部が下端側ほど左右方向外側に位置する傾斜姿勢となるポケット部から構成されていてもよい。
【００１０】
上着本体の前身頃の下側部分に備えさせたポケットの開口が、左右方向に伸びる水平開口となる前記第１開口部と、この第１開口部の左右方向中心部側端から下方に向かう縦向き開口となる前記第２開口部とからなり、前記保持部が前記第２開口部を通して挿入される収納物を差し込んで保持するように左右方向に長い姿勢で配置されていてもよい。
【００１１】
前記保持部をそれの挿入方向終端が開口された部材から構成し、該保持部の挿入方向終端をこれの延長線上に位置するポケットの左右方向の一端よりも手前側に配置してもよい。
【００１２】
前記保持部の挿入方向始端側の収納物挿入口を挿入方向始端側ほど下方に位置する傾斜口に構成してもよい。
【発明の効果】
【００１３】
開口を構成する２つの開口部のうちの一方の開口部を通して挿入される収納物を差し込んで保持するための伸縮自在な保持部を備えさせることによって、小物を収納空間の上側に確実に収納することができるから、小物が収納空間の底部に移動することがない。このことによって、小物を迅速に取り出すことができるだけでなく、収納空間の下側で複数の小物が重なり合うことを回避することができる。従って、所望の小物を迅速に取り出すことができることは勿論のこと、ポケット内の上下の収納空間を最大限無駄なく利用することができるだけでなく、違和感のない（着心地のよい）状態で快適に使用することができる釣り用上着のポケット構造を提供することができる。
【００１４】
前記ポケットを構成する裏地をメッシュ状の生地から構成し、前記保持部を、収納物を保持するメッシュ状の保持本体と、該保持本体の収納物挿入方向始端部を挟み込んで該収納物の挿入口を構成する補強用の挿入部とから構成することによって、保持部を設けることによる通気性の低下を抑制することができながらも、収納物の挿入時に接触する傷み易い挿入部を補強することで長期間に渡って良好に使用することができる保持部を構成することができる。
【００１５】
前記挿入部が前記ポケットを構成するフラットな裏地に対して表地側へ湾曲した状態となるように該挿入部の収納物挿入幅方向両端を該裏地に取り付けることによって、挿入部を裏地に対して開口した状態にすることができるから、一方の開口部を通して挿入される収納物を容易に差し込むことができる。
【００１６】
前記開閉手段を、前記ポケットの開口に備えさせたファスナーから構成し、前記保持部の挿入部を、前記裏地の前記ファスナー取付位置から設定距離隔てた箇所に位置させることによって、ファスナーに邪魔されることなく収納物をファスナーと保持部の挿入部との間に形成される隙間を介して容易に保持部の挿入部へ挿入することができる。
【００１７】
上着本体の前身頃の上側部分に備えさせたポケットの開口が、該前身頃の左右方向両端側から中心部に向かうほど下方に位置する傾斜開口となる前記第１開口部と、この第１開口部の下端から下方に向かう縦向き開口となる前記第２開口部とからなり、前記保持部が前記第１開口部を通して挿入される収納物を差し込んで保持するように配置され、該保持部が下端側ほど左右方向外側に位置する傾斜姿勢となるポケット部から構成されている場合には、ポケット内が見え易いだけでなく、ポケット内に手を入れ易い角度となり、収納物の出し入れ操作を容易迅速に行うことができる。
【００１８】
上着本体の前身頃の下側部分に備えさせたポケットの開口が、左右方向に伸びる水平開口となる前記第１開口部と、この第１開口部の左右方向中心部側端から下方に向かう縦向き開口となる前記第２開口部とからなり、前記保持部が前記第２開口部を通して挿入される収納物を差し込んで保持するように左右方向に長い姿勢で配置されている場合には、横長状の収納物を安定よく保持させることができる。
【００１９】
前記保持部をそれの挿入方向終端が開口された部材から構成し、該保持部の挿入方向終端をこれの延長線上に位置するポケットの左右方向の一端よりも手前側に配置することによって、保持部よりも長い収納物であっても、確実に部材からなる保持部にて保持することができる。
【００２０】
前記保持部の挿入方向始端側の収納物挿入口を挿入方向始端側ほど下方に位置する前下がり傾斜口に構成することによって、収納物挿入口を上方から覗くことができるだけでなく、収納物挿入口自体の大きさも垂直方向に収納物挿入口に形成した場合に比べて大きくすることができるから、収納物挿入口への収納物の挿入を容易かつ迅速に行える利点がある。
【発明を実施するための最良の形態】
【００２１】
図１に、釣り用の上着の一例である袖なしの上着であるベストを示しているが、袖のある上着であってもよい。このベストは、磯釣りの際に装着されるフローティングベストや、鮎釣りの際に装着される鮎釣り用ベスト等であり、ここでは、鮎釣り用ベストを示している。前記鮎釣り用ベストは、上着本体を構成する前身頃１と、この前身頃１の左右両端に連結される後身頃２とを備え、これら前身頃１及び後身頃２を構成する生地の大部分を通気性のよいメッシュ状の生地から構成することによって、高い通気性を確保することができ、好ましいが、通気性を有さない生地から構成することもできる。前記前身頃１は、左前身頃３Ａと右前身頃３Ｂとからなり、これら左前身頃３Ａ及び右前身頃３Ｂの左右方向中心部側端に備えさせたベスト着脱用スライドファスナー４を開閉操作することで身体にベストを着脱することができるようになっているが、他の構成であってもよい。つまり、前記ベスト着脱用スライドファスナー４にて着脱できる構成であるが、他の開閉手段を用いてもよいし、又、開閉手段を無くした構成、つまり頭から被って着るようなベストであってもよい。前記ベスト着脱用スライドファスナー４は、一対のテープ（基布）と、それらテープに互いに対向するように取り付けられた多数の歯からなるエレメント（務歯部）と、前記一対のエレメントを噛み合わせる、又はその噛み合いを解除操作するためのスライダー（開閉部材）とからなっている。
【００２２】
図１に示すように、前記前身頃１のうちの左前身頃３Ａの上側部分に上ポケット５を備えるとともに、左前身頃３Ａの下側部分に下ポケット６を備えている。又、右前身頃３Ｂの上側部分に上ポケット７を備えるとともに、右前身頃３Ｂの下側部分に左右方向で併設される左右一対の下ポケット８，９を備えている。図１では、前身頃３Ａ，３Ｂの上下両側部分にポケットを備えさせたものを示しているが、少なくとも一方側の前身頃３Ａ又は３Ｂの上側部分又は下側部分あるいは上下両側部分にポケットを備えさせたものであってもよい。つまり、本発明のポケット５，６，７のうちの少なくとも１つを備えさせたものであってもよい。これらポケット５，６，７，８，９は、図の矢印で示すように上から下方へ向かって後述するスライドファスナーのスライダーを移動操作することによって、ポケット５，６，７，８，９の開口を開放操作し、開放された状態のスライダーを下方から上方へ摘み部を持って移動操作することによって、ポケット５，６，７，８，９の開口を閉塞操作するようになっているが、これとは、反対方向であってもよい。又、スライドファスナーが開閉操作を迅速に行うことができることから好ましいが、ボタンやホック等であってもよい。
【００２３】
前記上側のポケット５又は７は、左右対称となる形状になっており、具体的構成が同一であるため、左側のポケット５を中心にして、図２、図３（ａ），（ｂ）及び図４（ａ），（ｂ）に基づいて説明する。尚、図４（ａ），（ｂ）では、表地を省略し、ポケットを構成する裏地のみを示した状態を示している。
上側のポケット５の開口１０又は１１を、上方からの収納物の出し入れを可能にするべく、上着本体の左右方向両端側から中心部に向かうほど下方に位置する傾斜開口となる前記第１開口部１０Ａ又は１１Ａと、この第１開口部１０Ａ又は１１Ａの下端から連続して形成され、収納物を水平方向又は斜め方向からの収納を可能とするべく、下方に向かう縦向き開口となる前記第２開口部１０Ｂ又は１１Ｂとから構成している。第１開口部１０Ａ又は１１Ａと第２開口部１０Ｂ又は１１Ｂとの連結部分が、湾曲した曲線部となっているが、直線部でもよく、又、開口１０又は１１の形状は、長方形状又は正方形状あるいは小判形状等、どのような形状であってもよい。
前記ポケットの開口１０又は１１を閉じるための開閉自在な開閉手段としてのスライドファスナー１２を備え、このスライドファスナー１２は、一対のテープ（基布）１２Ａ，１２Ａと、それらテープ１２Ａ，１２Ａに互いに対向するように取り付けられた多数の歯からなるエレメント（務歯部）１２Ｂ，１２Ｂと、前記一対のエレメント１２Ｂ，１２Ｂを噛み合わせる、又はその噛み合いを解除操作するためのスライダー（開閉部材）１２Ｃと、このスライダー１２Ｃに取り付けられた摘み部１２Ｄとからなっている。
【００２４】
図３（ａ），（ｂ）、図４（ａ），（ｂ）及び図５（ａ），（ｂ）に示すように、前記開口１０又は１１を構成する２つの開口部１０Ａ又は１１Ａ及び１０Ｂ又は１１Ｂのうちの第１開口部（第２開口部でもよい）１０Ａ又は１１Ａを通して挿入される収納物Ｓ１を差し込んで保持するための伸縮自在な正方形状の保持部１３を、前記ポケット５又は７を構成する裏地１４又は１５の表面の上側部分に該ポケット５又は７の収納空間内に突出する状態で備えさせている。尚、前記保持部１３の外周縁を構成する４辺のうちの収納物用挿入口１３Ｓを形成するための前記挿入部１３Ａを除いた３辺を、図３（ａ）に示すように裏地１４に縫着している。ここでは、縫着により保持部１３を止着するようにしているが、接着剤を用いて止着してもよい。
【００２５】
前記ポケット５又は７を構成する裏地１４又は１５を、メッシュ状の生地から構成し、前記保持部１３を、収納物Ｓ１を保持するメッシュ状の保持本体１３Ｂと、該保持本体１３Ｂの収納物挿入方向始端部を挟み込んで該収納物の挿入口を構成する帯状に構成された補強用の挿入部１３Ａとから構成して、図４に示す矢印方向、つまり収納物挿入幅方向に伸び易くなっている。従って、前記保持部１３に収納物Ｓ１を差し込んだ場合には該保持部１３が伸びることで、図５（ａ）に示すように、前記ポケット５の裏地１４から表地１６側へ突出し、かつ、該保持部１３に収納物Ｓ１を差し込まない状態で該ポケット５内に前記収納物Ｓ１よりも大きな収納物Ｓ２（同一の収納物Ｓ１であってもよい）を収納した場合には図５（ｂ）に示すように、該保持部１３が該ポケット５の裏地１４に押し付けられることで、保持部１３が収納空間を最大限無駄なく利用することができるから、保持部１３よりも大きな収納物Ｓ２であっても支障なく収納することができるようになっている。又、図４（ａ），（ｂ）では、保持部１３に収納物Ｓ１を差し込んだ場合に、残る他の収納空間、つまり裏地１４又は１５の下側２箇所に形成される収納空間に２種類の収納物Ｓ３，Ｓ４をそれぞれ振り分けて収納した状態を示し、このように上側に位置する収納物Ｓ１を位置保持することができるから、下側に配置したＳ３，Ｓ４と上側に配置した収納物Ｓ１とが重なり合うことがないだけでなく、上側に位置する収納物Ｓ１を迅速に取り出すことができるのである。又、図４（ａ），（ｂ）に示すように、矩形状（ほぼ正方形であるが、長方形であってもよい）の保持部１３を下端側ほど左右方向外側に位置する傾斜姿勢となる状態で配置することによって、ポケット内が見え易いだけでなく、右側のポケット７には左手を、かつ、左側のポケット５には右手を入れ易い角度となり、収納物Ｓ１，Ｓ３，Ｓ４の出し入れ操作を容易迅速に行うことができる利点がある。又、保持部１３の４つの角部のうちの下方に位置する２つの角部のうちの下方に位置する下端部、つまり上着本体の中心部側に位置する下端部１３Ｃが収納空間の左右方向中心部に位置することから、保持部１３に収納物Ｓ１を差し込んだ状態において前記下端部１３Ｃが表地側へ突出した状態となることから、下側に収納した２つの収納物Ｓ３，Ｓ４の仕切り部になり、その結果、２つの収納物Ｓ３，Ｓ４が移動することを下端部１３Ｃにて抑制することができる利点がある。前記収納物Ｓ１〜Ｓ４として、内部に針や仕掛け、あるいはガン玉等を収納可能な外形が円柱状のケースを示しているが、四角柱や三角柱等の他の形状の小物であってもよい。ここでは、ポケット５，７の下側空間に２つの収納物Ｓ３，Ｓ４を収納した場合を示しているが、１つ又は３つ以上の小物を収納して実施してもよい。
【００２６】
図４（ａ），（ｂ）にも示すように、前記開口１０又は１１の第２開口部１０Ｂ又は１１Ｂの下端位置をポケット内に形成される収納空間の底部よりも上方に位置させて、開口１０又は１１を全開にした状態において下方に収納した収納物Ｓ３，Ｓ４が不測に収納空間から飛び出すことがないようにしている。又、図１および図２に示すように、表地１６又は１７の上端でかつ開口の端部とこれに対応する裏地１４又は１５との間に、表地１６又は１７の開放側（前方側）への操作を規制するための弾性部材としての帯状のゴム１８を備えさせて、必要以上に表地１６又は１７が開放側へ操作されて収納した収納物が不測に飛び出すことがないようにしている。しかも、前記ゴム１８が開口１０又は１１の長手方向一端部に設けられているから、収納物の出し入れに支障を来たすことがないようになっている。
【００２７】
図３（ａ）にも示すように、前記挿入部１３Ａが前記ポケット５を構成するフラットな裏地１４に対して表地側へ湾曲した状態となるように該挿入部１３Ａの収納物挿入幅方向両端１３ａ，１３ａを該裏地１４に縫着する、つまり収納物挿入幅方向両端１３ａ，１３ａ間の挿入部１３Ａの長さが収納物挿入幅方向両端１３ａ，１３ａ間の直線長さよりも長くなるように縫着することによって、収納物挿入口１３Ｓを少し開放状態にすることができ、収納物を容易に挿入することができるように構成している。
【００２８】
又、図１に示すように、前記保持部１３の挿入部１３Ａを、前記裏地１４に縫着された前記スライドファスナー１２の取付位置から設定距離Ｌ１だけ収納空間内へ位置した箇所に位置させてあるから、スライドファスナー１２に邪魔されることなく、保持部１３に収納物を挿入することができるようにしている。
【００２９】
前記左前身頃３Ａの下側部分に備えさせた下ポケット６について説明すれば、図１、図２及び図４（ｃ）に示すように、下ポケット６の開口１９が、左右方向に伸びる水平開口となる第１開口部１９Ａと、この第１開口部１９Ａの左右方向中心部側端（右端）から下方に湾曲しながら向かう縦向き開口となる第２開口部１９Ｂとからなり、前記保持部１３が前記第２開口部１９Ｂを通して挿入される収納物Ｓ５を差し込んで保持するように左右方向に長い姿勢で配置されている。前記第２開口部１９Ｂを、図に示したように湾曲した形状にする他、湾曲した部分の無い真っ直ぐ下方へ向かう直線形状であってもよい。
【００３０】
前記保持部１３を、それの挿入方向終端が開口された伸縮自在な部材から構成し、該保持部１３の挿入方向終端をこれの延長線上に位置するポケット６の左右方向の外側に位置する端部よりも手前側に配置することによって、保持部１３よりも長い収納物Ｓ５であっても、保持部１３にて確実に保持することができるようにしている。
【００３１】
前記保持部１３について詳述すれば、収納物Ｓ５を保持するメッシュ状の保持本体１３Ｂと、該保持本体１３の収納物挿入方向始端部を挟み込んで該収納物Ｓ５の挿入口１３Ｓを構成する補強用の挿入部１３Ａと、該保持本体１３の収納物挿入方向終端部を挟み込んで該収納物Ｓ５の挿入先端部の通過を許容する補強用の終端部１３Ｃとから構成して、図４（ｃ）で示す矢印方向、つまり、収納物挿入幅方向に伸び易くなっている。従って、前記保持部１３に収納物Ｓ５を差し込んだ場合には該保持部１３が伸びることで、図５（ｃ）に示すように、前記ポケット６の裏地１４から表地２０側へ突出し、かつ、該保持部１３に収納物Ｓ５を差し込まない状態で該ポケット６内に前記収納物よりも大きな収納物（図示せず）を収納した場合には図５（ｂ）と同様に、該保持部１３が該ポケット６の裏地１４に押し付けられることで、保持部１３が収納空間を最大限利用することができるから、大きな収納物（図示せず）を支障なく収納することができるようになっている。図４（ｃ）及び図５（ｃ）では、ポケット６内の上側の収納空間に収納物Ｓ５を保持部１３にて保持することができるから、ポケット６内の下側の収納空間に別の収納物Ｓ６を収納した場合でも、上側の収納物Ｓ５が下側の収納物Ｓ６側へ落下して重なり合うことがないだけでなく、保持部１３に保持されている上側の収納物Ｓ５を迅速に取り出すことができるようにしている。
【００３２】
図４（ｃ）にも示すように、前記保持部１３の補強用の挿入部１３Ａにて形成される挿入方向始端側の収納物挿入口１３Ｓを収納物挿入方向始端側ほど下方に位置する前下がり傾斜口に構成することによって、挿入口１３Ｓを上方から容易に覗くことができるだけでなく、収納物挿入口自体の大きさも垂直方向に収納物挿入口に形成した場合に比べて大きくすることができるから、収納物を挿入口１３Ｓに容易かつ迅速に挿入し易い利点があるが、垂直姿勢であってもよい。又、第２開口部１９Ｂの下端位置を、保持部１３の挿入口１３Ｓの下端位置と同一高さ位置にし、かつ、ポケット６の収納空間を形成する底部よりも上方位置に設定することによって、保持部１３の挿入口１３Ｓへの収納物Ｓ５の挿入を第２開口部１９Ｂを通して容易に行うことができながらも、ポケット６を最大開放状態にした場合に、下側の収納空間に収納した収納物Ｓ６が不測にポケット外へ飛び出すことがないようにしている。前記第２開口部１９Ｂの下端位置を、保持部１３の挿入口１３Ｓの下端位置と同一高さ位置にする他、ポケット６の収納空間を形成する底部よりも上方位置であれば、保持部１３の挿入口１３Ｓの下端位置よりも低い位置に設定して実施することもできる。
【００３３】
図２にも示すように、前記上ポケット５，７と同様に、下ポケット６の開口１９を閉じるための開閉自在な開閉手段としてのスライドファスナー２１を備え、このスライドファスナー２１は、一対のテープ（基布）２１Ａ，２１Ａと、それらテープ２１Ａ，２１Ａに互いに対向するように取り付けられた多数の歯からなるエレメント（務歯部）２１Ｂ，２１Ｂと、前記一対のエレメント２１Ｂ，２１Ｂを噛み合わせる、又はその噛み合いを解除操作するためのスライダー（開閉部材）２１Ｃと、このスライダー２１Ｃに取り付けられた摘み部２１Ｄとからなっているが、開閉手段は、前述同様に他の構成であってもよい。
【００３４】
又、図１及び図２に示すように、前記同様に、表地２０の上端でかつ開口１９の端部とこれに対応する裏地１４との間に、表地２０の開放側（前方側）への操作を規制するための弾性部材としての帯状のゴム１８を備えさせて、必要以上に表地２０が開放側へ操作されて収納した収納物が不測に飛び出すことがないようにしている。しかも、前記ゴム１８が開口の開口方向一端部に設けられているから、収納物の出し入れに支障を来たすことがないようになっている。
【００３５】
前記右前身頃３Ｂの２つのポケット８，９にも、開閉手段としての前記と同一構成のスライドファスナー２２をそれぞれ備えるとともに、表地２３，２４の開放側（前方側）への操作を規制するための弾性部材としての帯状のゴム１８を前記同様に収納物の出し入れに支障がない状態でそれぞれ備えさせている。
【図面の簡単な説明】
【００３６】
【図１】釣り用上着の正面図である。
【図２】左前身頃の上下のポケットを開放状態にした要部の斜視図である。
【図３】（ａ）は図１におけるＩ−Ｉ線断面図、（ｂ）は図３（ａ）におけるＩＩ−ＩＩ線断面図である。
【図４】は表地を省略した３つのポケットに複数の収納物を収納した状態を示す正面図であり、（ａ）は右前身頃の上ポケット、（ｂ）は左前身頃の上ポケット、（ｃ）は左前身頃の下ポケットである。
【図５】は２つのポケットの縦断面図を示し、（ａ）は左前身頃の上ポケットに２つの収納物を収納している状態であり、（ｂ）は１つの収納物を収納している状態を示し、（ｃ）は左前身頃の下ポケットに２つの収納物を収納した状態を示している。
【符号の説明】
【００３７】
１…前身頃、２…後身頃、３Ａ…左前身頃、３Ｂ…右前身頃、４…ベスト着脱用スライドファスナー、５，７…上ポケット、６，８，９…下ポケット、１０，１１…開口、１０Ａ，１１Ａ…第１開口部、１０Ｂ，１１Ｂ…第２開口部、１２…スライドファスナー、１２Ａ…テープ、１２Ｂ…エレメント、１２Ｃ…スライダー、１２Ｄ…摘み部、１３…保持部、１３Ａ…挿入部、１３Ｂ…保持本体、１３Ｓ…収納物挿入口、１４，１５…裏地、１６，１７…表地、１８…ゴム、１９…開口、１９Ａ…第１開口部、１９Ｂ…第２開口部、２０…表地、２１，２２…スライドファスナー、２１Ａ…テープ、２１Ｂ…エレメント、２１Ｃ…スライダー、２１Ｄ…摘み部、２３，２４…表地
【図１】
2008118954.tif 000003
【図２】
2008118954.tif 000004
【図３】
2008118954.tif 000005
【図４】
2008118954.tif 000006
【図５】
2008118954.tif 000007